(57)【要約】【課題】  ランダム再生機能のために容量が大きいＲＯＭやＲＡＭを備えなくても、重複したオーディオデータを再生しないようにランダム再生することができる再生装置を提供する。【解決手段】  記録媒体に記録されたオーディオファイルを再生する再生手段と、記録媒体に記録されたオーディオファイルの中から１つのオーディオファイルを選択する選択手段と、選択手段により選択されたオーディオファイルが前回再生された時刻に基づいて当該オーディオファイルを再生するか否かを判定する判定手段を備える。【選択図】  図１
2008084359.tif 000002
【特許請求の範囲】
【請求項１】
記録媒体に記録されたオーディオファイルを再生する再生手段と、
記録媒体に記録されたオーディオファイルの中から１つのオーディオファイルを選択する選択手段と、
前記選択手段により選択されたオーディオファイルが前回再生された時刻に基づいて当該オーディオファイルを再生するか否かを判定する判定手段とを備えることを特徴とするオーディオ再生装置。
【請求項２】
請求項１に記載のオーディオ再生装置において、
時刻情報を管理する時計手段と、
記録媒体に記録されたオーディオファイルをランダム再生する指示をするランダム再生指示手段を備え、
前記判定手段は、
前記ランダム再生指示手段によりランダム再生が開始されると前記時計手段からランダム再生が開始された時刻を取得し、
前記選択手段により選択されたオーディオファイルの前回再生された時刻がランダム再生が開始された時刻より前の時刻である場合、当該オーディオファイルを再生する判定をすることを特徴とするオーディオ再生装置。
【発明の詳細な説明】
【技術分野】
【０００１】
本発明は、記録媒体に記録されたオーディオファイルを再生する再生装置に関する。
【背景技術】
【０００２】
記録媒体に記録されたオーディオデータを再生する再生装置には、オーディオデータをランダムな順序で再生するランダム再生機能がある。従来の再生装置では、ランダム再生をしているときに同じオーディオデータが重複して再生されないように、複雑な乱数発生のアルゴリズムを用いて再生するオーディオデータを決定している（例えば、特許文献１参照）。
【０００３】
あるいは、従来の再生装置では、ランダム再生をするとき、制御部が記録媒体に記録されたオーディオデータ毎に再生有無をフラグ等により管理し、乱数発生アルゴリズムにより決定されたオーディオデータが未再生であるとき、当該オーディオデータを再生する。
【０００４】
【特許文献１】特開平１０−１４９６０９号公報
【発明の開示】
【発明が解決しようとする課題】
【０００５】
複雑な乱数発生のアルゴリズムを用いて、ランダム再生をするオーディオデータを決定する再生装置は、そのアルゴリズムを記憶するため、比較的容量の大きいＲＯＭ（Read Only Memory）を備える必要になるため、再生装置の製造コストが高くなる。また、記録媒体に記録されたオーディオデータ毎に再生有無を管理する再生装置は、オーディオデータ毎に再生の有無を管理するためのＲＡＭ（Random Accesses Memory）を備える必要がある。
【０００６】
近年、ＨＤ（Hard Disk）や半導体メモリの記録容量が大きい記録媒体を備えたポータブルプレーヤなどの再生装置がある。このような記録媒体を備えた再生装置では、ＭＰ３（MPEG Audio Layer-3）などの圧縮されたオーディオファイルを記録することができるため、ＣＤ（Compact Disc）等の記録媒体より多くのオーディオファイルを記録することが可能となる。したがって、記録媒体に記録されたオーディオファイルが多くなるほど、再生の有無を管理するためのＲＡＭの容量を大きくしなければならないため、再生装置の製造コストが高くなる。
【０００７】
本発明は、上記の課題を解決するためになされたものであり、ランダム再生機能のために容量が大きいＲＯＭやＲＡＭを備えなくても、重複したオーディオデータを再生しないようにランダム再生することができる再生装置を提供することを特徴とする。
【課題を解決するための手段】
【０００８】
上記の課題を解決するために、本願の請求項１に記載の発明は、記録媒体に記録されたオーディオファイルを再生する再生手段と、記録媒体に記録されたオーディオファイルの中から１つのオーディオファイルを選択する選択手段と、前記選択手段により選択されたオーディオファイルが前回再生された時刻に基づいて当該オーディオファイルを再生するか否かを判定する判定手段とを備えることを特徴とする。
【０００９】
また、本願の請求項２に記載の発明は、請求項１に記載のオーディオ再生装置において、時刻情報を管理する時計手段と、記録媒体に記録されたオーディオファイルをランダム再生する指示をするランダム再生指示手段を備え、前記判定手段は、前記ランダム再生指示手段によりランダム再生が開始されると前記時計手段からランダム再生が開始された時刻を取得し、前記選択手段により選択されたオーディオファイルの前回再生された時刻がランダム再生が開始された時刻より前の時刻である場合、当該オーディオファイルを再生する判定をすることを特徴とする。
【発明の効果】
【００１０】
本発明によれば、ランダム再生機能のために容量が大きいＲＯＭやＲＡＭを備えなくても、重複したオーディオデータを再生しないようにランダム再生することができる再生装置を提供することができる。
【発明を実施するための最良の形態】
【００１１】
以下、本発明の実施の形態を図面を参照して説明する。
図１は、本発明の一実施例であるオーディオ再生装置の構成を示すブロック図である。図１に示すように、本実施例のオーディオ再生装置１は、ＨＤ２、ＨＤ制御部３、ＤＳＰ（Digital Signal Prosser）４、ＤＡＣ（Digital to Analog Converter）５、増幅部６、出力部７、ランダム再生指示部８、表示部９、制御部１０、判定部１１、時計部１２を備える。本実施例では、ＨＤを記録媒体として説明するが、半導体メモリを記録媒体としても良い。
【００１２】
図１に示すオーディオ再生装置１は、ＨＤ２を内蔵したポータブルプレーヤ等の再生装置である。ＨＤ２は、図示しないパーソナルコンピュータ等から転送された圧縮されたオーディオデータ（例えば、ＭＰ３）のファイルおよびオーディオファイル毎のファイル情報が記録されている。ＨＤ２は、ＨＤ制御部３の制御によりオーディオデータおよびファイル情報を再生する。再生されたオーディオデータはＤＳＰ３に入力され、再生されたファイル情報は制御部１０に入力される。ＨＤ制御部３は、ＨＤ２からオーディオデータおよびファイル情報を再生する制御、ＨＤ２にオーディオデータおよびファイル情報を記録する制御をする。ファイル情報には、例えば、前回再生された日時、ファイル作成日時、ファイル名等の情報が含まれている。
【００１３】
ＤＳＰ４は、ＨＤ２から再生されるオーディオデータにデコード等の信号処理を施す。信号処理されたオーディオデータは、ＤＡＣ５に入力される。ＤＡＣ５は、入力されたオーディオデータをアナログオーディオ信号に変換し増幅部６に出力する。ＤＡＣ５により変換されたアナログオーディオ信号は、増幅部６により増幅され出力部７から出力される。
【００１４】
ランダム再生指示部８は、ＨＤ２に記録されたオーディオデータをランダムに再生するランダム再生を指示するための操作ボタンを備える。ランダム再生指示部８は、オーディオ再生装置１を操作する図示しない操作部に備えられている。表示部９は、制御部１０の制御によりオーディオ再生装置１の動作状態やオーディオデータの再生状態等を表示する。
【００１５】
制御部１０は、ＨＤ制御部３およびＤＳＰ４を制御するとともに、オーディオ再生装置１を統括的に制御する。また、制御部１０は、判定部１１および時計部１２を備える。判定部１１は、ランダム再生指示部８からの指示によりランダム再生が行われているとき、予め定められた時刻とＨＤ２から再生されＨＤ制御部３を介して制御部８に入力されるファイル情報に含まれる前回再生された日時情報に基づいて、当該ファイル情報のオーディオデータを再生するか否かを判定する。時計部１２は、現在の日付を示す日付情報や時刻を示す時刻情報を管理する。
【００１６】
図２は、本実施例のオーディオ再生装置１におけるランダム再生時に再生するオーディオファイルを決定する動作を説明するフローチャートである。
ランダム再生指示部８からランダム再生を開始する操作があると（ステップＳ１）、制御部１０は、時計部１２から現在の時刻の時刻情報を取得し、取得した時刻情報を予め定められた時刻として図示しない記憶部に記憶する（ステップＳ２）する。本実施例において、予め定められた時刻はランダム再生が開始された時刻となる。
【００１７】
そして、制御部１０は、ＨＤ２に記録されているオーディオファイルの中から１つのオーディオファイルを選択する（ステップＳ３）。例えば、制御部１０は、ＨＤ２に記録されているオーディオファイルのファイル数を対象として乱数を発生させ、発生した乱数に対応するオーディオファイルを選択する。ここで、乱数発生には簡単なアルゴリズムを用いるが、それまでに発生した乱数に影響しないで、乱数を発生させることができるアルゴリズムが望ましい。
【００１８】
制御部１０は、オーディオファイルを選択すると、このオーディオファイルのファイル情報をＨＤ２から取得する（ステップＳ４）。制御部１０は、ＨＤ制御部３に選択したオーディオファイルのファイル情報をＨＤ２から再生する制御をする。ＨＤ制御部３は、ステップＳ３により選択したオーディオファイルのファイル情報をＨＤ２から再生する制御をする。ＨＤ２から再生されるファイル情報は、ＨＤ制御部３を介して制御部１０に入力される。
【００１９】
判定部１１は、ステップＳ２において記憶された予め定められた時刻、すなわち、ランダム再生が開始された時刻とステップＳ４において取得されたファイル情報に基づいて、ステップＳ３において選択されたオーディオファイルを再生するか否かを判定する（ステップＳ５）。判定部１１は、ファイル情報に含まれる前回再生された日時情報から、選択されたオーディオファイルを前回再生した時刻がランダム再生が開始された時刻より前の時刻であるとき、選択されたオーディオファイルを再生する判定をする。
【００２０】
判定部１１がステップＳ３において選択されたオーディオファイルを再生する判定をすると（ステップＳ５でＹｅｓ）、制御部８は、ＨＤ制御部３にこのオーディオファイルをＨＤ２から再生する制御をする（ステップＳ６）。一方、判定部１１は、選択されたオーディオファイルを前回再生した時刻がランダム再生が開始された時刻より後の時刻であるとき、すなわち、選択されたオーディオファイルがランダム再生を開始した後に、再生されたオーディオファイルであるとき、選択されたオーディオファイルを再生しない判定をする。判定部１１がステップＳ３において選択されたオーディオファイルを再生しない判定をすると（ステップＳ５でＮｏ）、ステップＳ３において、オーディオファイルを選択する。
【００２１】
選択されたオーディオファイルが再生されると、制御部１０は、このオーディオファイルのファイル情報を更新する（ステップＳ７）。制御部１０は、ファイル情報に含まれる前回再生された日時情報の時刻を今回再生した時刻に更新したファイル情報をＨＤ２に記録するようにＨＤ制御部３を制御する。制御部１０は、ランダム再生指示部８からランダム再生を終了する操作があるか否かを判定し（ステップＳ８）、ランダム再生を終了する操作がある場合、ランダム再生を終了する制御をする。
【００２２】
以上のように、本実施例のオーディオ再生装置１は、選択したオーディオファイルのファイル情報を参照し、このオーディオファイルを前回再生した時刻とランダム再生を開始した時刻を比較して、ランダム再生をするオーディオファイルを決定する。したがって、本実施例のオーディオ再生装置１は、ランダム再生を開始した後に再生されたオーディオファイルが再生されないので、ランダム再生をしているときに重複してオーディオファイルを再生することがない。また、本実施例のオーディオ再生装置１は、従来の再生装置のように、複雑な乱数発生のアルゴリズムを用いて再生するオーディオデータの決定や記録媒体に記録されたオーディオデータ毎に再生有無を管理する必要がないため、容量の大きいＲＯＭやＲＡＭを備える必要がない。
【００２３】
次に、オーディオ再生装置１のランダム再生時における他の実施例について説明する。他の実施例では、判定部１１は、図２に示すステップＳ３において選択されたオーディオファイルの日時情報と比較する日時として、日にちをランダム再生を開始する日とし、時刻を０時００分とする。
【００２４】
例えば、９月１２日の１８時３０分にランダム再生を開始した場合、判定部１１は、ステップＳ３において選択されたオーディオファイルの日時情報を９月１２日の０時００分と比較する。そして、ステップＳ３において選択されたオーディオファイルの日時情報が９月１２日の０時００分より前であるとき、選択されたオーディオファイルを再生する判定をする。このように、判定部１１が再生するオーディオファイルを判定することにより、オーディオ再生装置１は、ユーザがランダム再生を開始する日に再生されてないオーディオファイルのみをランダム再生することができる。
【００２５】
また、判定部１１は、ステップＳ３において選択されたオーディオファイルの日時情報と比較する日時として、日にちをランダム再生を開始する１週間前の日とし、時刻を０時００分とすることにより、オーディオ再生装置１は、ユーザがランダム再生を開始する日の前の１週間に再生されてないオーディオファイルのみをランダム再生することができる。このように、オーディオ再生装置１は、ステップＳ３において選択されたオーディオファイルの日時情報と比較する日時を変更することにより、ユーザが一定期間再生されていないオーディオファイルのみをランダム再生することができる。
【図面の簡単な説明】
【００２６】
【図１】本発明の実施例であるオーディオ再生装置の構成を示すブロック図。
【図２】ランダム再生時に再生するオーディオファイルを決定する動作を説明するフローチャート。
【符号の説明】
【００２７】
１…本実施例のオーディオ再生装置、２…ＨＤ、３…ＨＤ制御部、４…ＤＳＰ、５…ＤＡＣ、６…増幅部、７…出力部、８…ランダム再生指示部、９…表示部、１０…制御部、１１…判定部、１２…時計部
【図１】
2008084359.tif 000003
【図２】
2008084359.tif 000004